【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
１９６０個のデータトーンを有する２０４８トーンプランに従ってメッセージを生成することと、前記２０４８トーンプランが、９８０個のデータトーンをそれぞれ有する２つの同等の１０２４トーンプランを備える、
前記２つの同等の１０２４トーンプランのうちの１つに従ってデータを２つのデータ部分に分割するためにセグメントパーシングを実施することと、各部分は、２つの８０ＭＨｚ帯域幅のうちの１つを介した送信のために用いられる、
前記２つのデータ部分の各々に対して低密度パリティチェック（ＬＤＰＣ）トーンマッピングを別々に実施することと、
前記２つの８０ＭＨｚ帯域幅を備える１６０ＭＨｚ帯域幅上での送信のために前記メッセージを供給することと
を備える、ワイヤレス通信の方法。
【請求項２】
前記２つの同等の１０２４トーンプランの各々が、２つの８０ＭＨｚセグメントの各々に対応する５つの直流トーンを備える、請求項１に記載の方法。
【請求項３】
前記２０４８トーンプランが、前記１６０ＭＨｚ帯域幅に対応する２３個の直流トーンと、２つの８０ＭＨｚセグメントの各々に対応する５つの追加のヌルトーンとを備える、請求項１に記載の方法。
【請求項４】
前記２つのデータ部分の各々に対してＬＤＰＣトーンマッピングを別々に実施することが、２０のＬＤＰＣトーンマッピング距離を使用することを備える、請求項１に記載の方法。
【請求項５】
４つまたはそれ以上の空間ストリームを介して前記メッセージを送信することをさらに備える、請求項１に記載の方法。
【請求項６】
前記方法が移動局によって実施され、前記方法が、前記移動局をサービスするアクセスポイントに、前記移動局の送信機およびアンテナを通して前記メッセージを送信することをさらに備える、請求項１に記載の方法。
【請求項７】
前記方法がアクセスポイントによって実施され、前記方法が、前記アクセスポイントによってサービスされる移動局に、前記アクセスポイントの送信機およびアンテナを通して前記メッセージを送信することをさらに備える、請求項１に記載の方法。
【請求項８】
１９６０個のデータトーンを有する２０４８トーンプランに従ってメッセージを生成するための手段と、前記２０４８トーンプランが、９８０個のデータトーンをそれぞれ有する２つの同等の１０２４トーンプランを備える、
前記２つの同等の１０２４トーンプランのうちの１つに従ってデータを２つのデータ部分に分割するためにセグメントパーシングを実施するための手段と、各部分は、２つの８０ＭＨｚ帯域幅のうちの１つを介した送信のために用いられる、
前記２つのデータ部分の各々に対して低密度パリティチェック（ＬＤＰＣ）トーンマッピングを別々に実施するための手段と、
前記２つの８０ＭＨｚ帯域幅を備える１６０ＭＨｚ帯域幅上での送信のために前記メッセージを供給するための手段と
を備える、ワイヤレス通信のための装置。
【請求項９】
前記２つの同等の１０２４トーンプランの各々が、２つの８０ＭＨｚセグメントの各々に対応する５つの直流トーンを備える、請求項８に記載の装置。
【請求項１０】
前記２０４８トーンプランが、前記１６０ＭＨｚ帯域幅に対応する２３個の直流トーンと、２つの８０ＭＨｚセグメントの各々に対応する５つの追加のヌルトーンとを備える、請求項８に記載の装置。
【請求項１１】
前記２つのデータ部分の各々に対してＬＤＰＣトーンマッピングを別々に実施するための手段が、２０のＬＤＰＣトーンマッピング距離を使用するための手段を備える、請求項８に記載の装置。
【請求項１２】
４つまたはそれ以上の空間ストリームを介して前記メッセージを送信するための手段をさらに備える、請求項８に記載の装置。
【請求項１３】
前記装置が移動局を備え、前記装置が、前記移動局をサービスするアクセスポイントに、前記移動局の送信機およびアンテナを通して前記メッセージを送信するための手段をさらに備える、請求項８に記載の装置。
【請求項１４】
前記装置がアクセスポイントを備え、前記装置が、前記アクセスポイントによってサービスされる移動局に、前記アクセスポイントの送信機およびアンテナを通して前記メッセージを送信するための手段をさらに備える、請求項８に記載の装置。
【請求項１５】
実行されたとき、少なくとも１つのコンピュータに、請求項１〜７のいずれか一項に記載の方法を行わせるための実行可能命令を備えるコンピュータプログラム。
【手続補正２】
【補正対象書類名】明細書
【補正対象項目名】０２５６
【補正方法】変更
【補正の内容】
【０２５６】
[00322]上記は本開示の態様を対象とするが、本開示の他の態様およびさらなる態様は、それの基本的範囲から逸脱することなく考案され得、それの範囲は以下の特許請求の範囲によって決定される。
以下に、本願の出願当初の特許請求の範囲に記載された発明を付記する。
［Ｃ１］
ワイヤレス通信を実施するように構成された装置であって、
命令を記憶するメモリと、
前記メモリに結合され、
１９６０個のデータトーンを有する２０４８トーンプランに従ってメッセージを生成することと、前記２０４８トーンプランが、９８０個のデータトーンをそれぞれ有する２つの同等の１０２４トーンプランを備える、
前記２つの同等の１０２４トーンプランのうちの１つに従ってデータを２つのデータ部分に分割するためにセグメントパーシングを実施することと、各部分は、２つの８０ＭＨｚ帯域幅のうちの１つを介した送信のために用いられる、
前記２つのデータ部分の各々に対して低密度パリティチェック（ＬＤＰＣ）トーンマッピングを別々に実施することと、
前記２つの８０ＭＨｚ帯域幅を備える１６０ＭＨｚ帯域幅上での送信のために前記メッセージを供給することと
を行うために前記命令を実行するように構成された処理システムと
を備える、装置。
［Ｃ２］
前記２つの同等の１０２４トーンプランの各々が、前記２つの８０ＭＨｚ帯域幅の各々に対応する５つの直流トーンを備える、Ｃ１に記載の装置。
［Ｃ３］
前記２０４８トーンプランが、前記１６０ＭＨｚ帯域幅に対応する２３個の直流トーンと、２つの８０ＭＨｚセグメントの各々に対応する５つの追加のヌルトーンとを備える、Ｃ１に記載の装置。
［Ｃ４］
前記２つのデータ部分の各々に対してＬＤＰＣトーンマッピングを別々に実施することが、２０のＬＤＰＣトーンマッピング距離を使用することを備える、Ｃ１に記載の装置。
［Ｃ５］
４つまたはそれ以上の空間ストリームを介して前記メッセージを送信するように構成された送信機をさらに備える、Ｃ１に記載の装置。
［Ｃ６］
前記装置が移動局であり、ここにおいて、前記処理システムが、前記移動局をサービスするアクセスポイントに、前記移動局の送信機およびアンテナを通して前記メッセージを送信するように構成されることによって、送信のために前記メッセージを供給するように構成された、Ｃ１に記載の装置。
［Ｃ７］
前記装置がアクセスポイントであり、ここにおいて、前記処理システムが、前記アクセスポイントによってサービスされる移動局に、前記アクセスポイントの送信機およびアンテナを通して前記メッセージを送信するように構成されることによって、送信のために前記メッセージを供給するように構成された、Ｃ１に記載の装置。
［Ｃ８］
１９６０個のデータトーンを有する２０４８トーンプランに従ってメッセージを生成することと、前記２０４８トーンプランが、９８０個のデータトーンをそれぞれ有する２つの同等の１０２４トーンプランを備える、
前記２つの同等の１０２４トーンプランのうちの１つに従ってデータを２つのデータ部分に分割するためにセグメントパーシングを実施することと、各部分は、２つの８０ＭＨｚ帯域幅のうちの１つを介した送信のために用いられる、
前記２つのデータ部分の各々に対して低密度パリティチェック（ＬＤＰＣ）トーンマッピングを別々に実施することと、
前記２つの８０ＭＨｚ帯域幅を備える１６０ＭＨｚ帯域幅上での送信のために前記メッセージを供給することと
を備える、ワイヤレス通信の方法。
［Ｃ９］
前記２つの同等の１０２４トーンプランの各々が、２つの８０ＭＨｚセグメントの各々に対応する５つの直流トーンを備える、Ｃ８に記載の方法。
［Ｃ１０］
前記２０４８トーンプランが、前記１６０ＭＨｚ帯域幅に対応する２３個の直流トーンと、２つの８０ＭＨｚセグメントの各々に対応する５つの追加のヌルトーンとを備える、Ｃ８に記載の方法。
［Ｃ１１］
前記２つのデータ部分の各々に対してＬＤＰＣトーンマッピングを別々に実施することが、２０のＬＤＰＣトーンマッピング距離を使用することを備える、Ｃ８に記載の方法。
［Ｃ１２］
４つまたはそれ以上の空間ストリームを介して前記メッセージを送信することをさらに備える、Ｃ８に記載の方法。
［Ｃ１３］
前記方法が移動局によって実施され、前記方法が、前記移動局をサービスするアクセスポイントに、前記移動局の送信機およびアンテナを通して前記メッセージを送信することをさらに備える、Ｃ８に記載の方法。
［Ｃ１４］
前記方法がアクセスポイントによって実施され、前記方法が、前記アクセスポイントによってサービスされる移動局に、前記アクセスポイントの送信機およびアンテナを通して前記メッセージを送信することをさらに備える、Ｃ８に記載の方法。
［Ｃ１５］
１９６０個のデータトーンを有する２０４８トーンプランに従ってメッセージを生成するための手段と、前記２０４８トーンプランが、９８０個のデータトーンをそれぞれ有する２つの同等の１０２４トーンプランを備える、
前記２つの同等の１０２４トーンプランのうちの１つに従ってデータを２つのデータ部分に分割するためにセグメントパーシングを実施するための手段と、各部分は、２つの８０ＭＨｚ帯域幅のうちの１つを介した送信のために用いられる、
前記２つのデータ部分の各々に対して低密度パリティチェック（ＬＤＰＣ）トーンマッピングを別々に実施するための手段と、
前記２つの８０ＭＨｚ帯域幅を備える１６０ＭＨｚ帯域幅上での送信のために前記メッセージを供給するための手段と
を備える、ワイヤレス通信のための装置。
［Ｃ１６］
前記２つの同等の１０２４トーンプランの各々が、２つの８０ＭＨｚセグメントの各々に対応する５つの直流トーンを備える、Ｃ１５に記載の装置。
［Ｃ１７］
前記２０４８トーンプランが、前記１６０ＭＨｚ帯域幅に対応する２３個の直流トーンと、２つの８０ＭＨｚセグメントの各々に対応する５つの追加のヌルトーンとを備える、Ｃ１５に記載の装置。
［Ｃ１８］
前記２つのデータ部分の各々に対してＬＤＰＣトーンマッピングを別々に実施するための手段が、２０のＬＤＰＣトーンマッピング距離を使用するための手段を備える、Ｃ１５に記載の装置。
［Ｃ１９］
４つまたはそれ以上の空間ストリームを介して前記メッセージを送信するための手段をさらに備える、Ｃ１５に記載の装置。
［Ｃ２０］
前記装置が移動局を備え、前記装置が、前記移動局をサービスするアクセスポイントに、前記移動局の送信機およびアンテナを通して前記メッセージを送信するための手段をさらに備える、Ｃ１５に記載の装置。
［Ｃ２１］
前記装置がアクセスポイントを備え、前記装置が、前記アクセスポイントによってサービスされる移動局に、前記アクセスポイントの送信機およびアンテナを通して前記メッセージを送信するための手段をさらに備える、Ｃ１５に記載の装置。
［Ｃ２２］
実行されたとき、装置に、
１９６０個のデータトーンを有する２０４８トーンプランに従ってメッセージを生成することと、前記２０４８トーンプランが、９８０個のデータトーンをそれぞれ有する２つの同等の１０２４トーンプランを備える、
前記２つの同等の１０２４トーンプランのうちの１つに従ってデータを２つのデータ部分に分割するためにセグメントパーシングを実施することと、各部分は、２つの８０ＭＨｚ帯域幅のうちの１つを介した送信のために用いられる、
前記２つのデータ部分の各々に対して低密度パリティチェック（ＬＤＰＣ）トーンマッピングを別々に実施することと、
前記２つの８０ＭＨｚ帯域幅を備える１６０ＭＨｚ帯域幅上での送信のために前記メッセージを供給することと
を行わせるコードを備える非一時的コンピュータ可読媒体。
［Ｃ２３］
前記２つの同等の１０２４トーンプランの各々が、２つの８０ＭＨｚセグメントの各々に対応する５つの直流トーンを備える、Ｃ２２に記載の媒体。
［Ｃ２４］
前記２０４８トーンプランが、前記１６０ＭＨｚ帯域幅に対応する２３個の直流トーンと、２つの８０ＭＨｚセグメントの各々に対応する５つの追加のヌルトーンとを備える、Ｃ１５に記載の装置。
［Ｃ２５］
前記２つのデータ部分の各々に対してＬＤＰＣトーンマッピングを別々に実施することが、２０のＬＤＰＣトーンマッピング距離を使用することを備える、Ｃ１５に記載の装置。
［Ｃ２６］
実行されたとき、前記装置に、４つまたはそれ以上の空間ストリームを介して前記メッセージを送信させるコードをさらに備える、Ｃ２２に記載の媒体。
［Ｃ２７］
前記装置が移動局を備え、前記媒体が、実行されたとき、前記装置に、前記移動局をサービスするアクセスポイントに、前記移動局の送信機およびアンテナを通して前記メッセージを送信させるコードをさらに備える、Ｃ２２に記載の媒体。
［Ｃ２８］
前記装置がアクセスポイントを備え、前記媒体が、実行されたとき、前記装置に、前記アクセスポイントによってサービスされる移動局に、前記アクセスポイントの送信機およびアンテナを通して前記メッセージを送信させるコードをさらに備える、Ｃ２２に記載の媒体。